(57)【要約】【課題】狭い開度に初期開放された段階を経てから扉が広い開度に終局開放されるとともに、扉が無用な衝撃なしに静かに閉鎖される二段階開放型扉用ロックハンドル装置を提供する。【解決手段】扉に固定装備されるハンドルユニットとラッチユニットとで構成され、ハンドルユニットの操作ハンドルは一定角度離れた第一位置と第二位置の間を回転する。ハンドル軸に固着した掛金体は、筐体側の受金体の裏側に係合する。ラッチユニットには、筐体側のストライカーと係脱するラッチボルトと、ハンドル軸に連繋部材によって接続されたスライダーが進退可能に収容されている。スライダーに枢着されたラッチ牽引カム体は、ラッチボルトの側面部の係止受部に係合するようにバネ部材によって回動付勢される。扉が初期開放に来るとき、ラッチボルトがストライカーに係合する。【選択図】    図２
2004308175.tif 000002
【特許請求の範囲】
【請求項１】
扉１の正面側に装備されるハンドルユニット２と、扉１の背面側に装備されるラッチユニット３とからなり、
前記ハンドルユニット２は、扉１に固着される固定受座４と、固定受座４に回転可能に嵌挿される操作ハンドル５と、操作ハンドル５のハンドル軸６に固着され、筐体７側の受金体８の裏側に係合する掛金体９とからなり、操作ハンドル５は一定角度離れた第一位置と第二位置の間で正逆回転し、
前記ラッチユニット３は、扉１に固着される固定ケース１０と、固定ケース１０に進退可能に収容され、筐体７側のストライカー１１に先端部が係脱するラッチボルト１２と、ラッチボルト１２を前進方向に移動付勢するバネ部材１３と、ラッチボルト１２の側面に沿って進退するように固定ケース１０に収納され、連繋部材１４を介して前記ハンドル軸６に接続されたスライダー１５と、スライダー１５にピン１７によって枢着され、先端フック１９がラッチボルト１２の側面部の係止受部２１に係合するラッチ牽引カム体１８と、ラッチ牽引カム体１８をラッチボルト１２の側面に向かって回動付勢するバネ部材２２とからなり、ラッチボルト１２の先端部には、ストライカー１１の突端カム面部２４に摺接する先端面部２３が形成され、ラッチ牽引カム体１８の先端部には、ラッチボルト１２の駆動カム面部２６が摺接する受動カム面部２５が形成されており、
扉１を狭い開度に初期開放した段階において、バネ部材１３の付勢によってラッチボルト１２とスライダー１５が一体的に前進し、ラッチボルト１２の先端部がストライカー１１に係合することによって、扉１が初期開放位置に保持されるようにした二段階開放型扉用ロックハンドル装置。
【発明の詳細な説明】
【０００１】
【発明の属する技術分野】本発明は、扉の開閉操作と筐体に対する施錠操作に使用される扉用ロックハンドル装置に関するものである。
【０００２】
【従来の技術】スチームオーブンなどの調理機器に使用される扉用ロックハンドル装置では、扉を一気に全開させた場合、筐体内の蒸気や熱気が操作者の顔面に集中噴出して火傷を招く惧れがあるため、最初は扉を狭い開度に開放し、この初期開放の段階で蒸気や熱気を扉の周辺から逸出させ、操作者の顔面に直接かつ大量に吹付けさせないように配慮した設計が要請されている。
【０００３】
このような要請に沿うものとして、操作ハンドルが倒伏位置にあるとき、受金具のロック棒に係合して扉を筐体に対して施錠する第一フック部をロックレバーの先端部に設け、操作ハンドルが引き起こされたとき、ロック棒の背後に入り込む第二フック部をロックレバーの先端部に設け、第二フック部を第一フック部よりも扉側に突出させて両者間に遊び空間を設けた扉用ロックハンドル装置が提案されている（特許文献１参照）。
【０００４】
また、固定ケースに扉の厚み方向に並列させて外側ラッチボルトと内側ラッチボルトを収容し、バネ部材で前進付勢された内外のラッチボルトの先端部が順次に係合する単一のストライカーを筐体に設け、固定ケースにラッチボルトの長さ方向に移動する移動体を収容し、ラッチボルトに係脱する第一フックと第二フックを有するラッチ牽引カムを該移動体の先端部に枢着し、別のバネ部材でラッチ牽引カムを双方のラッチボルトに係合可能な中間位置に保持し、外側のラッチボルトが前進位置にあって内側のラッチボルトが後退位置にあるとき、ラッチ牽引カムが外側のラッチボルトだけと係合する一方、双方のラッチボルトが前進位置にあるときには、ラッチ牽引カムが同時に双方のラッチボルトと係合するようにした二段階開放型扉用ラッチ装置も提案されている（特許文献２参照）。
【０００５】
しかしながら、特許文献１に開示されている従来装置における扉開閉の作動方式は、開放時には扉正面と平行な枢軸を中心に操作者が手前に引き起こし回転させる一方、扉の閉鎖時には操作ハンドルに触れずに操作者が手で扉を筐体に向かって押し遣る方式であるため、操作者が扉を乱暴に強く押し遣ったときには、ロックレバーや受金具に強い衝撃が加わり、長期の使用中にロックレバーや受金具が歪曲変形したり損傷することがある。また、大きな衝撃振動のもとに扉を閉鎖するときには、蒸し上げたり焼き上げたりする前の調理物等に形崩れや波打ち変形を発生し易く、不良品を発生させる原因にもなっている。
【０００６】
特許文献２に開示された扉用ラッチ装置では、ラッチボルトを内外一対に装備してあるため、機構的に複雑であり、製作加工のコストの節減が困難である。
【０００７】
【特許文献１】特許第２８６９０６０号公報
【特許文献２】特許第３１９３９０７号公報
【０００８】
【発明が解決しようとする課題】したがって本発明の課題は、狭い開度に初期開放された段階を経てから扉が広い開度に終局開放されるため、操作者が蒸気や熱気の集中噴出から確実に防護されるとともに、扉が無用な衝撃なしに静かに安全に閉鎖される二段階開放型扉用ロックハンドル装置を提供することである。
【０００９】
【課題を解決するための手段】本発明の二段階開放型扉用ロックハンドル装置は、扉１の正面側に装備されるハンドルユニット２と、扉１の背面側に装備されるラッチユニット３とからなり、
前記ハンドルユニット２は、扉１に固着される固定受座４と、固定受座４に回転可能に嵌挿される操作ハンドル５と、操作ハンドル５のハンドル軸６に固着され、筐体７側の受金体８の裏側に係合する掛金体９とからなり、操作ハンドル５は一定角度離れた第一位置と第二位置の間で正逆回転し、
前記ラッチユニット３は、扉１に固着される固定ケース１０と、固定ケース１０に進退可能に収容され、筐体７側のストライカー１１に先端部が係脱するラッチボルト１２と、ラッチボルト１２を前進方向に移動付勢するバネ部材１３と、ラッチボルト１２の側面に沿って進退するように固定ケース１０に収納され、連繋部材１４を介して前記ハンドル軸６に接続されたスライダー１５と、スライダー１５にピン１７によって枢着され、先端フック１９がラッチボルト１２の側面部の係止受部２１に係合するラッチ牽引カム体１８と、ラッチ牽引カム体１８をラッチボルト１２の側面に向かって回動付勢するバネ部材２２とからなり、ラッチボルト１２の先端部には、ストライカー１１の突端カム面部２４に摺接する先端面部２３が形成され、ラッチ牽引カム体１８の先端部には、ラッチボルト１２の駆動カム面部２６が摺接する受動カム面部２５が形成されており、
扉１を狭い開度に初期開放した段階において、バネ部材１３の付勢によってラッチボルト１２とスライダー１５が一体的に前進し、ラッチボルト１２の先端部がストライカー１１に係合することによって、扉１が初期開放位置に保持されるように設定されている。
【００１０】
【発明の作用】本発明の二段階開放型扉用ロックハンドル装置では、図１と図２に示したように扉１が閉鎖されて筐体７に対して施錠されているときには、操作ハンドル５は握り部５ａが垂直に配置された第一位置にあり、掛金体９は受金体８の裏面側に係合している。
ラッチボルト１２の先端はストライカー１１の起立壁面に単に当接しているだけであり、ラッチボルト１２とストライカー１１の係合による扉１の施錠は成立していない。ラッチ牽引カム体１９の先端フック１９は、ラッチボルト１２の側面に当接しているだけであり、ラッチ牽引カム体１８とラッチボルト１２の係合は成立していない。
【００１１】
扉１の施錠を解除して扉１を開放回転させるために、操作ハンドル５を前記第一位置から第二位置に所定角度、例えば９０度回転させると、操作ハンドル５は握り部５ａが水平に配置された第二位置に来る。この第二位置では、連繋部材１４は弛緩されている。
第二位置にある操作ハンドル５を手前に引いて、図３に示したように狭い開度の初期開放の位置まで扉１が到達すると、ラッチボルト１２がバネ部材１３の付勢によって前進し、ラッチボルト１２の先端部がストライカー１１の凹部７５に係合する。すなわち扉１は、今度はラッチボルト１２とストライカー１１を介して筐体７に対して施錠されたことになる。
前記ラッチボルト１２の前進過程において、バネ部材２０の付勢によってラッチ牽引カム体１８の先端フック１９がラッチボルト１２の係止受部２１に係合している。
【００１２】
この初期開放位置において蒸気や熱気は扉１の周辺開放部から分散して逸出する。蒸気などの排出が終了した後、図４に示したように操作ハンドル５を第二位置から第一位置に戻し回転させると、連繋部材１４が緊張して牽引され、ラッチボルト１２がラッチ牽引カム体１８の介在によってスライダー１５と一体的に後退させられる。これによって、筐体７に対する扉１の施錠が解除される。
第一位置にある操作ハンドル５の握り部５ａを手前に引くことによって、扉１は所要の広い開度に終局開放される。
【００１３】
広い開度に終局開放して筐体７への調理品の出し入れなどの所要の作業を終了した後、扉１の閉鎖回転に先行して、操作ハンドル５を第５図に示すように第一位置から第二位置に回転させ、掛金体９が受金体８に衝突しないように配置する。
この第二位置では連繋部材１４が弛緩されるため、ラッチボルト１２とスライダー１５はラッチ牽引カム体１８の介在によってバネ部材１３の付勢により一体的に前進し、ラッチボルト１２の先端カム面部２３が固定ケース１０の外側に突出する。
【００１４】
扉１を閉鎖回転させると、前記初期開放の開度に到達する直前の段階において、ラッチボルト１２の先端カム面部２３がストライカー１１の突端カム面部２４に当接する。この状態で扉１の閉鎖回転が続行されると、先端カム面部２３が突端カム面部２４に押圧されることによって、ラッチボルト１２はバネ部材１３の付勢に抗して後退させられる。突端カム面部２４を通過した後、ラッチボルト１２はバネ部材１３の付勢によって再び前進し、図３に示したようにラッチボルト１２の先端部がストライカー１１に係合し、扉１は初期開放位置に仮保持される。
【００１５】
この回転位置から扉１を筐体７に向けて更に押し遣ると、ラッチボルト１２の先端カム面部２３がストライカー１１の凹部７５の縁部７５ａに摺接し、ラッチボルト１２が後退させられる。ラッチボルト１２がスライダー１５に対して相対移動するとき、ラッチボルト１２の駆動カム面部２６がラッチ牽引カム体１８の受動カム面部２５に摺接するため、ラッチ牽引カム体１８は枢軸ピン１７を中心にバネ部材２２に抗して回動させられ、先端フック１９がラッチボルト１２の係止受部２１から離脱する。
扉１を全閉した後、操作ハンドル５を第二位置から第一位置に戻し回転すると、掛金体９が受金体８の裏面側に回り込んで係合し、扉１を筐体７に対して開放不能に施錠する。
【００１６】
【発明の実施の形態】図示の実施例では、扉１の前後方向に形成した貫通孔２７には、図２に示したようにハンドルユニット２の固定受座４の軸受筒部２７が嵌挿され、後端螺子部２８に螺合した締付ナット２９と扉正面に当接する前端鍔部３０によって、固定受座４は扉１に固着されている。前端鍔部３０の前面には、図１３に示したように９０度間隔に４個のデテント溝３１を放射状に形成してある。
【００１７】
図１２に示したようにハンドル軸６の中間主体部３２は前記軸受筒部２７に回転可能に嵌挿されており、ハンドル軸６の前端角軸部３３は操作ハンドル５の根元部３４の内部仕切り壁３５に形成された透孔３６に嵌挿されており、螺子部３７に螺合された締付ナット３８と、軸受筒部２７の後端面に当接する段差面３９とによって、ハンドル軸６は操作ハンドル５に抜脱不能に取り付けられている。この取付作業時に使用した前面開口部４０はキャップ４１によって閉塞されている。
【００１８】
前端角軸部３３の根元部分にはデテント盤４２が角孔４３にて相対回転不能に嵌合されており、操作ハンドル５の後面開口部４４にはデテントケース４５が相対回転不能に嵌め込まれている。デテントケース４５に前後方向に移動可能に嵌め込まれたデテント盤４２は、前面に捻じ込まれたガイド用ビス４６によってデテントケース４５に対して相対回転不能に保持されている。デテント盤４２の後面には、図１４に示したように９０度間隔に４個のデテント突起４７を放射状に形成してある。前端角軸部３３に嵌められた圧縮コイルバネ４８は、デテントケースの前面壁４９とデテント盤４２との間で圧縮され、デテント盤４２を固定受座４の前端鍔部３０に向けて移動付勢している。
【００１９】
軸受筒部２７から突出したハンドル軸６の後端部分には、図１２に示したように両側面が平行面で削除された所謂小判型断面部５０が設けてあり、該小判型断面部５０には小孔５１が前記平行面と直交するように形成されており、図８に示したように該小孔５１に嵌挿されたコロ型掛金体９の回転支軸５２は、加締め加工などによって前記小判型断面部５０に取付られている。この回転支軸５２を取付けた側の面、すなわち掛金体９とは反対側の位置には、図６に示したようにＬ字型の連繋部材用ブラケット板５３が溶接されており、図６に示したようにワイヤーよりなる連繋部材１４の末端部は、ブラケット板５３の水平板部５４の透孔５５に通して抜け止め処理されている。
【００２０】
ハンドルユニット３の受金体８は、図７と図８に示したようにＬ字型板によって構成され、その一方の翼板５６には掛金体９が圧接する湾曲隆起板部５７が切り抜き形成されており、扉１の施錠時にコロ型掛金体９が裏側に入り込む湾曲隆起板部５７の頂点部には、締付け施錠の成立時に掛金体９が嵌まり込む係止凹部５８を形成してある。Ｌ字型板の他方の翼板５９には調整用長孔６０が２個形成されており、該翼板５９の両端面には調整用連続溝６１が形成されている。受金体用ブラケット板６２の一対の壁板６３には、調整用連続溝６４が形成されている。調整用連続溝６１，６４同士を係合させることによって、筐体７の正面からの受金体の突き出し量を調整した後、調整用長孔６０からブラケット板６２の螺子孔６５に捻じ込まれる締付ビス６６によって、受金体８がブラケット板６２に固着される。
【００２１】
ラッチユニット３のストライカー１１は、ストライカー用ブラケット６７側の調整用連続溝６８と、ストライカー１１側の調整用連続溝６９同士を係合させることによって、筐体７の正面からの突き出し量を調整され、調整用長孔７０から捻じ込まれる締付ビス７１によってブラケット６７に固着される。ラッチボルト１２の先端部が係脱する部分は、ストライカー１１の突端部の側面の凹部７５は断面台形状に形成されている。
【００２２】
ラッチユニット３の固定ケース１０は左右袖板部７３を締付ビス７４によって扉１の背面に固着されている。ラッチボルト１２とスライダー１５は側面同士を接触させて固定ケース１０に収容されており、ラッチボルト１２の先端部分は、固定ケース１０の下面開口７２から突出している。ラッチボルト付勢用羽部材１３は、固定ケース１０の上面壁７６とラッチボルト１２の上端面の間に圧縮された圧縮コイルバネで構成されている。スライダー１５の他側面にはガイドピース７７が当接している。固定ケース１０の上面開口７８から突出したスライダー１５の上端部には、前記ワイヤーよりなる連繋部材１４の他方の末端部が接続されている。
【００２３】
スライダー１５の中間部に形成された左右方向に貫通したスリット１６には、板状のラッチ牽引カム体１８が揺動可能に嵌合されており、ラッチ牽引カム体１８中間部付近にて横断ピン１７によってスライダー１５に枢着されている。ラッチ牽引カム体１８を回動付勢するバネ部材２２は、ラッチ牽引カム体１８の基端部と前記スリット１６の張出し壁７９の間に圧縮された圧縮コイルバネで構成されている。ラッチボルト１２の中間部には左右方向に貫通するスロット２０を形成してあり、ラッチ牽引カム体１８の先端フック１９が係脱する係止受部２１は、前記スロット２０の後側縁部に形成されている。先端フック１９の下面側は受動カム面部２５となっている。
【００２４】
【発明の効果】以上のように構成された本発明の二段階開放型扉用ロックハンドル装置では、操作ハンドル５を第一位置から第二置に回して、掛金体９を受金体８から離脱させ、扉１を操作ハンドル５によって手前に引いて開放するとき、狭い開度まで開放が進行した段階すなわち初期開放の段階において、ラッチボルト１２とスライダー１５が一体的に前進してラッチボルト１２の先端部がストライカー１１に係合し、この係合状態がバネ部材１３によって維持されるため、筐体７内部の蒸気や熱気は扉１の周辺開放部から分散して逸出することになり、操作者は顔面への集中噴出による火傷事故から的確に防護される。
【００２５】
また、本発明の二段階開放型扉用ロックハンドル装置では、閉鎖回転させた扉１が初期開放位置に戻った段階において、ラッチボルト１２がストライカー１１に自動的に係合することによって扉１の動きが一旦停止し、ここで操作ハンドル５が第二位置になっていることを確認してから、扉１を閉鎖回転を再開すると、ラッチボルト１２がカム作用によってストライカー１１から離脱し、そして最後に、扉１の全閉後、操作ハンドル５を第二位置から第１位置に回して掛金体９を受金体８に係合させるという段階的な操作手順を踏むため、不用意に扉１を閉鎖回転させても掛金体９が受金体８に衝突して、これらの歪曲変形や損傷を来すことがなく、また、扉１は比較的静かに閉鎖されるものであるから、筐体７に無用な衝撃振動を加えて調理品に不良な変形や改変を与えることがない。
【００２６】
さらにまた、ハンドルユニット２のハンドル軸６に接続した連繋部材１４の末端部にスライダー１５を接続し、このスライダー１５にラッチ牽引カム体１８を枢着してラッチボルト１２を単一化したので、ラッチユニット３の内部構造が簡略化され、全体としての製作加工のコスト節減が可能となった。
【図面の簡単な説明】
【図１】本発明の一実施例に係る二段階開放型扉用ロックハンドル装置の施錠状態を示す正面図であり、操作ハンドルは第一位置にある。
【図２】図１の二段階開放型扉用ロックハンドル装置の右側面図である。
【図３】図１の状態から操作ハンドルを第二位置に回転させ、扉を初期開放位置まで移動させたときの右側面図である。
【図４】図３の状態から操作ハンドルを第一位置に戻し回転させ、扉を終局開放させるときの右側面図である。
【図５】終局開放した扉を閉鎖回転させるのに先行して操作ハンドルを第二位置に回したときの右側面図である。
【図６】図１の二段階開放型扉用ロックハンドル装置に使用したハンドルユニットの背面図である。
【図７】図２のＡ−Ａ線断面図である。
【図８】図２のＢ−Ｂ線断面図である。
【図９】図７のＣ−Ｃ線断面図である。
【図１０】図１の二段階開放型扉用ロックハンドル装置に使用したラッチユニットのストライカーの右側面図である。
【図１１】図１０のストライカーの平面図である。
【図１２】図６のハンドルユニットの縦断面図である。
【図１３】図６のハンドルユニットの固定受座の正面図である。
【図１４】図６のハンドルユニットのデテント盤の背面図である。
【符号の説明】
１  扉
２  ハンドルユニット
３  ラッチユニット
４  ハンドルユニットの固定受座
５  操作ハンドル
６  ハンドル軸
７  筐体
８  受金体
９  掛金体
１０  ラッチユニットの固定ケース
１１  ストライカー
１２  ラッチボルト
１３  ラッチボルト付勢用バネ部材
１４  連繋部材
１５  スライダー
１６  スライダーのスリット
１７  横断ピン
１８  ラッチ牽引カム体
１９  ラッチ牽引カム体の先端フック
２０  ラッチボルトのスロット
２１  ラッチボルトの係止受部
２２  ラッチ牽引カム体付勢用バネ部材
２３  ラッチボルトの先端カム面部
２４  ストライカーの突端カム面部
２５  ラッチ牽引カム体の受動カム面部
２６  ラッチボルトの駆動カム面部
【図１】
2004308175.tif 000003
【図２】
2004308175.tif 000004
【図３】
2004308175.tif 000005
【図４】
2004308175.tif 000006
【図５】
2004308175.tif 000007
【図６】
2004308175.tif 000008
【図７】
2004308175.tif 000009
【図８】
2004308175.tif 000010
【図９】
2004308175.tif 000011
【図１０】
2004308175.tif 000012
【図１１】
2004308175.tif 000013
【図１２】
2004308175.tif 000014
【図１３】
2004308175.tif 000015
【図１４】
2004308175.tif 000016